(57)【要約】【課題】プリンタ部の熱が原因でリーダ部が加熱される構成であって、リーダ部が高温になるとリーダ部の読み取り性能が劣化してしまうリーダ部を備えた画像形成装置において、コストアップさせることなく、リーダ部の読み取り性能の劣化を防ぐ。【解決手段】画像を読み取るリーダ部と、記録媒体に画像を形成するプリンタ部とを備えた画像形成装置において、前記リーダ部の温度を検出して（ステップ２００３）プリント禁止温度Ｔｍａｘを比較し（ステップ２００３）、リーダ部２００の温度の方が大きければステップ２００４へ進んでリーダ部のクールダウンを待ち、そうでなればステップ２００９へ進んで画像形成動作を行う。ステップ２００６でリーダ部がクールダウンすればステップ２００９へ移り、画像形成動作を行う。【選択図】        図６
2004279522.tif 000002
【特許請求の範囲】
【請求項１】
画像を読み取るリーダ部と
記録媒体に画像を形成するプリンタ部と、
前記リーダ部の温度に応じて前記プリンタ部による画像形成速度を制御する制御手段と、
を備えたことを特徴とする画像形成装置。
【発明の詳細な説明】
【０００１】
【発明の属する技術分野】
本発明は、プリンタ部の上部にリーダ部が配置された画像形成装置で特にリーダ部が高温になるとリーダ部の読み取り性能が劣化してしまうリーダ部を備えた画像形成装置に関するものである。
【０００２】
【従来の技術】
従来の画像形成装置は、リーダ部の温度が上昇した場合はリーダ部の動作を停止させたり、プリンタ部の温度が上昇した場合は、プリンタ部の動作を停止させたり、プリント間隔を開けて生産性を低下させていた。また温度上昇が予測される部位にはファンを配置して温度上昇を防いでいた。
【０００３】
【発明が解決しようとする課題】
しかしながら前述の従来の方式では、プリンタ部の熱が原因でリーダ部が加熱される構成の画像形成装置では、効果的に温度を低下させることができない、また、ファンを追加すると画像形成装置がコストアップしてしまうといった問題があった。
【０００４】
本発明は、このような状況のもとでなされたもので、プリンタ部の熱が原因でリーダ部が加熱される構成であって、リーダ部が高温になるとリーダ部の読み取り性能が劣化してしまうリーダ部を備えた画像形成装置において、コストアップさせることなく、リーダ部の読み取り性能の劣化を防ぐことを課題とするものである。
【０００５】
【課題を解決するための手段】
前記課題を解決するため、本発明では、画像形成装置を次の（１）ないし（５）のとおりに構成し、画像形成方法を次の（６）のとおりに構成する。
【０００６】
（１）画像を読み取るリーダ部と
記録媒体に画像を形成するプリンタ部と、
前記リーダ部の温度に応じて前記プリンタ部による画像形成速度を制御する制御手段と、
を備えたことを特徴とする画像形成装置。
【０００７】
（２）画像を読み取るリーダ部と
記録媒体に画像を形成するプリンタ部と、
前記リーダ部の温度が所定以上の場合に、前記プリンタ部による画像形成を停止させる制御手段と、
を備えたことを特徴とする画像形成装置。
【０００８】
（３）前記（２）記載の画像形成装置において、
前記制御手段は、画像形成を停止させた場合に、停止させている旨を表示することを特徴とする画像形成装置。
【０００９】
（４）前記（１）ないし（３）のいずれかに記載の画像形成装置において、
前記リーダ部の温度をプリント枚数により推測することを特徴とする画像形成装置。
【００１０】
（５）前記（１）ないし（４）のいずれかに記載の画像形成装置において、
前記制御手段は、前記温度が所定以上の場合に、リーダ部の温度を低下させるために読み取り動作を行わずに該リーダ部の可動部を連続的に動作させることを特徴とする画像形成装置。
【００１１】
（６）画像を読み取るリーダ部と、記録媒体に画像を形成するプリンタ部とを備えた画像形成装置における画像形成方法であって、
前記リーダ部の温度を検出する温度検出ステップと、
前記温度検出ステップで検出した温度に応じて前記プリンタ部による画像形成速度を制御する画像形成速度制御ステップと、
を備えたことを特徴とする画像形成方法。
【００１２】
【発明の実施の形態】
以下本発明の実施の形態を画像形成装置の実施例により詳しく説明する。なお、本発明は、装置の形に限らず、実施例の説明に裏付けられて、方法の形で実施することもできる。
【００１３】
【実施例】
まず、後述の実施例１ないし３に共通の、構成，動作を説明する。
【００１４】
図１は、実施例である“画像形成装置（複写装置）”の構成を示す断面図であり、同図を参照して構成と動作を説明する。
【００１５】
本画像形成装置１００は、原稿給送装置１０００、リーダ（イメージリーダともいう）部２００、プリンタ部３００、フィニシャ５００を備えている。
【００１６】
前記構成を動作と共に詳述すると、原稿給送装置１０００は、セットされた原稿を先頭頁から順に１枚ずつ、湾曲したパスを介してプラテンガラス１０２上を左から右へ向けて搬送し、その後、排紙トレイ１１２へ排出する。このときスキャナユニット１０４は所定の位置に保持された状態にあり、このスキャナユニット１０４上を原稿が左から右へ通過することにより、原稿の読み取りが行われる。原稿の通過時、スキャナユニット１０４のランプ１０３の光が原稿に照射され、その原稿からの反射光がミラー１０５，１０６，１０７、レンズ１０８を介してイメージセンサ１０９に導かれる。なお、原稿給送装置１０００により原稿をプラテンガラス１０２上に搬送した後に停止させ、スキャナユニット１０４を左から右へ移動させることにより、原稿の読み取りを行うこともできる。
【００１７】
イメージセンサ１０９により読み取った原稿の画像は、画像処理が施されて露光制御部１１０へ送られる。露光制御部１１０は、画像信号に応じたレーザ光を出力する。このレーザ光は感光ドラム１１１に照射され、感光ドラム１１１上に静電潜像が形成される。感光ドラム１１１上の静電潜像は現像器１１３により現像され、感光ドラム１１１上の現像剤はカセット１１４，１１５、手差し給紙部１２５、両面搬送パス１２４のいずれかから給送されたシートに転写部１１６で転写される。
【００１８】
現像剤が転写されたシートは、定着部１１７で現像剤の定着処理が施される。定着部１１７を通過したシートは、フラッパ１２１により一旦パス１２２に導き、シートの後端がフラッパ１２１を抜けた後にシートをスイッチバックさせてフラッパ１２１により排出ローラ１１８へ導く。これにより、現像剤が転写された面を下向きの状態（フェイスダウン）で排出ローラ１１８によりプリンタ３００から排出される。
【００１９】
なお、手差し給紙部１２５からＯＨＰシートなどの硬いシートに画像形成を行うときには、パス１２２に導くことなく、現像剤が転写された面を上向きの状態（フェイスアップ）で排出ローラ１１８から排出させる。また、シートの両面に画像形成する場合には、シートを定着部１１７からまっすぐ排出ローラ１１８へ導き、シートの後端がフラッパ１２１を抜けた直後にシートをスイッチバックし、フラッパ１２１により両面搬送パス１２４へ導く。
【００２０】
排出ローラ１１８から排出されたシートは、フィニッシャ本体５００へ送り込まれる。フィニッシャ本体５００では、シフト処理，綴じ処理，穴あけ等の処理等を行う。また、フィニシャ５００上には、インサータ１９００が設けられており、表紙，合紙等をフィニシャ本体５００に給送する。また整合板１７０２はシフトソートなど用紙をずらして出力する場合に搬送方向と垂直な角度に移動してトレイ１７０１上の奥または手前に用紙を排出する。
【００２１】
また、スタンプ１５１は、用紙の搬送路上に配置され搬送異常紙に対して「ＮＧ」の文字を記録するもので、押下する場合は記録用紙をスタンプ１５１が配置された位置で一旦停止させてスタンプ１５１を降下させる。
【００２２】
またイメージセンサ１０９上部にはサーミスタ７が装着され、イメージセンサ１０９の温度の検知を行う。
【００２３】
次に、制御手段について説明する。
【００２４】
図２は実施例の制御手段８００，９００の構成を示すブロック図である。同図において、制御手段８００は画像形成装置本体１００の複写動作制御を行う。制御手段９００は外部通信回線との通信制御を行う。８０１は画像形成装置全体の制御を行う中央演算処理装置（以下ＣＰＵと記す）であり、８０２は画像形成装置本体１００の制御手順（制御プログラム）を記憶した読み取り専用メモリ（以下ＲＯＭと記す）であり、ＣＰＵ８０１はこのＲＯＭ８０２に記憶された制御手順にしたがってパスを介して接続された各構成装置を制御する。８０３は入力データの記憶や作業用記憶領域等として用いる主記憶装置であるところのランダムアクセスメモリ（以下ＲＡＭと記す）であり、外部装置との通信を開始するために必要な電話番号等の記憶手段をも構成している。８０４はメインモータ１１３等の負荷に対するＣＰＵ８０１の制御信号の出力、および定着器のセンサ等からの信号を入力してＣＰＵ８０１に送る入出力ＩＣ（以下Ｉ／Ｏという）である。
【００２５】
ＣＰＵ８０１は、バスおよび適当なＩ／Ｏ（不図示）を介して後述する操作パネル上の各種キーからの入力を受け入れ、さらに同パネル上のディスプレイに必要な情報を表示させるべく送り出す。
【００２６】
外部通信回線９０８との通信制御を行う通信制御手段９００は、ＣＰＵ９０１により通信の制御を行う。９０２は通信制御，接続手続プログラム等を記憶した記憶装置（ＲＯＭ）である。そして、画像形成装置本体１００の複写制御手段８００とはＲＳ−２３２Ｃインターフェース８０５，９０７により構成した転送手段により接続されており、このＲＳ−２３２Ｃインターフェース９０７を介して画像形成装置本体１００の制御手段８００からのデータ転送が行われると、その転送データを通信制御手段９００内に設けた専用の通信データ記憶手段であるＲＡＭ９０３に一時保持し、画像形成装置本体の制御手段８００からのデータ転送終了後にＣＰＵ９０１によりネットワークコントロールユニット（以下ＮＣＵと記す）部９０６を制御し、外部装置との通信回線接続を行い、回線接続後モデム９０５，ＮＣＵ部９０６を通して外部にデータ転送を行う。
【００２７】
また、外部からデータ転送が行われた場合には、その転送データをＲＡＭ９０３に一時保持し、画像形成装置本体１００の画像形成制御手段８００からの要求に応じてＲＳ−２３２Ｃインターフェース８０５，９０７を介して画像形成装置本体１００の制御装置８００にデータ転送を行う。９０９は通信先の電話番号、自身のＩＤ番号，パスワード等を設定するためのロータリスイッチである。
【００２８】
またサーミスタ７はＣＰＵ８０１のＡＤ変換入力端子に接続されリーダ部２００の温度を測定する。
【００２９】
次に、操作パネル（操作部）について説明する。
【００３０】
図３は画像形成装置本体１００に備えた操作パネル６００の一例を示す外観図である。６０１はアスタリスク（＊）キーであり、オペレータ（使用者）が、綴じ代量の設定とか、原稿枠消しのサイズ設定等の設定モードのときに用いる。６２７はカーソルキーであり、設定モード時の設定事項を選択するときに用いる。６２８はＯＫキーであり、設定モード時の設定内容を確定するときに用いる。
【００３１】
６０６はオールリセットキーであり、標準モードに戻すときに押す、また、オートシャットオフ状態から標準モードに復帰させるときにもこのオートリセットキー６０６を押す。
【００３２】
６０５は複写開始キー（コピースタートキー）であり、複写を開始するときに押す。６０４はクリア／ストップキーであり、待機（スタンバイ）中はクリアキー、複写記録中はストッパキーの機能を有する。このクリア／ストップキー６０４は、設定した複写枚数を解除するとき、また連続複写を中断するときに押す。そして、この押した時点での複写が終了した後に、複写動作を停止する。
【００３３】
６０３はテンキーであり、複写枚数を設定するときに押す。またアスタリスク（＊）モードを設定するときにも使う。６１９はメモリキーであり、使用者が頻繁に使うモードを登録しておくことができる。ここでは、Ｍ１〜Ｍ４の４通りのモードの記録ができる。
【００３４】
６１１および６１２は複写濃度キーであり、複写濃度を手動で調節するときに押す。６１３はＡＥキーであり、原稿の濃度に応じて、複写濃度を自動的に調節するとき、またはＡＥ（自動濃度調節）を解除して濃度調節をマニュアル（手動）に切り替えるときに押す。
【００３５】
６０７はコピー用紙選択キーであり、上段ペーパリフタ１１４，下段ペーパリフタ１１５，マルチ手指し１２５を選択するときに押す。また、原稿給送装置１０００に原稿が載っているときには、このコピー用紙選択キー６０７によりＡＰＳ（自動紙カセット選択）が選択できる。ＡＰＳが選択されたときには、原稿と同じ大きさのカセットが自動的に選択される。
【００３６】
６１０は等倍キーであり、等倍（原寸）の複写をとるときに押す。６１６はオート変倍キーであり、指定した転写紙のサイズに合わせて原稿の画像を自動的に縮小・拡大を指定するときに押す。
【００３７】
６２６は両面キーであり、片面原稿から両面複写、両面原稿から両面複写、または両面原稿から片面複写をとるときに押す。６２５は綴じ代キーであり、転写紙の左側へ指定された長さの綴じ代を作成することができる。６２４は写真キーであり、写真原稿を複写するときに押す。６２３は多重キーであり、２つの原稿から転写紙の同じ面に画像を作成（合成）するときに押す。
【００３８】
６２０は原稿枠消しキーであり、使用者が定形サイズ原稿の枠消しを行うときに押し、その際に原稿のサイズはアスタリスクキー６０１で設定する。６２１はシート枠消しキーであり、コピー用紙サイズに合わせて原稿の枠消しをするときに押す。
【００３９】
６２９は表紙モード設定キーであり、表紙，裏表紙の作成および合紙を挿入するときに用いる。６３０はページ連写キーであり、見開きの本の左右を続けて複写するときに用いる。
【００４０】
６１４はステイプルソート，ソート，グループ，シフトの各排紙方法を選択する排紙方法選択キーであり、フィニッシャ５００が接続されている場合は、記録用紙に対するステイプルソートモード，ソートモード，グループモード，シフトモードの選択またはその選択モードの解除ができる。６３３はガイドキーであり、各種キーに対応する機能の説明を、メッセージディスプレイ７０１を表示するときに用いる。
【００４１】
７０１は複写および通信に関する情報を表示するＬＣＤ（液晶）タイプのメッセージディスプレイであり、９６×１２９ドットで文字や図形を表示する。例えば、テンキー６０３で設定した複写枚数、定形変倍キー６０８，６０９、等倍キー６１０，ズームキー６１７，６１８で設定した複写倍率、コピー用紙選択キー６０７で選択した用紙サイズ、画像形成装置本体１００の状態を示すメッセージ、操作手順を示すガイドメッセージ、その他各種モード設定内容を表示する。
【００４２】
７０４はＡＥ表示器であり、ＡＥキー６１３によりＡＥ（自動濃度調節）を選択したときに点灯する。７０９は予熱表示器であり、予熱状態のときに点灯する。
【００４３】
標準モードで原稿給送装置１０００を使用している時では、複写枚数１枚，濃度ＡＥモード，オート用紙選択，等倍，片面原稿から片面複写の設定になる。原稿給送装置１０００を未使用時の標準モードでは、複写枚数１枚，濃度マニュアルモード，等倍，片面原稿から片面複写の設定となっている。原稿給送装置１０００の使用時と未使用時の差は原稿給送装置１０００に原稿がセットされているか否かで決まる。
【００４４】
以下図４ないし図７を用いて本発明の特徴的な制御にかかる実施例１ないし３を説明する。
【００４５】
（実施例１）
まずは図５のフローチャートを用いて実施例１の“画像形成装置”の動作を説明する。なおハードウエア構成は、前述のとおりである。
【００４６】
ステップ１００２（図ではＳ１００２と表記する、以下同様）でジョブスタートの開始を待つ。コピースタートキー，プリンタジョブ投入，ＦＡＸ受信などによりジョブスタートするとステップ１００３へ進む。ステップ１００３ではプリントサイズ、周囲温度から基本のプリントスピードを算出する。これはＡ４であれば５０（ｐｐｍ）、Ａ３では２５（ｐｐｍ）という一分間に出力する枚数の計算を、予め決められたテーブルを用いて算出する。求めたプリントスピードを変数Ａに代入する。ステップ１００４ではリーダ部の温度Ｔｒをサーミスタ７で検出する。これはサーミスタを持たない構成であれば、前回のプリントジョブの枚数から推測しても良い。例えば前回のジョブのプリント枚数が５０００枚であれば５０℃、プリント枚数が６０００枚であれば５２℃といったテーブルを用意しても良いし、
Ｔｒ（℃）＝プリント枚数×０．００２＋３０
といった換算式を用いても良い。
【００４７】
そして求めたリーダ部温度Ｔｒをテーブルにより変換しプリント制限速度を求める。これは、５０℃であれば４０（ｐｐｍ）、５５℃であれば３０（ｐｐｍ）という変換を行い、求めたプリント制限速度を変数Ｂに代入する。
【００４８】
ステップ１００５では前記したＡ，Ｂを比較しＢよりもＡが大きいならばステップ１００７へ進み、そうでなければステップ１００６へ進む。
【００４９】
ステップ１００７では、プリント速度Ｃにステップ１００４で求めたプリント制限速度Ｂを代入する。
【００５０】
ステップ１００６では、プリント速度Ｃにステップ１００３で求めた基準プリント速度Ａを代入する。
【００５１】
そしてステップ１００８ではプリント速度Ｃ（ｐｐｍ）に基づいたプリント速度で画像形成動作を行う。
【００５２】
以上説明したように、本実施例によれば、プリンタ部の熱が原因でリーダ部が加熱される構成であって、リーダ部が高温になるとリーダ部の読み取り性能が劣化してしまうリーダ部を備えた画像形成装置において、効果的に温度を低下させることができるので、リーダ部の読み取り性能の劣化を防ぐことができる。
【００５３】
（実施例２）
次に図６のフローチャートを用いて実施例２の“画像形成装置”の動作を説明する。ハードウエア構成は前述のとおりである。
【００５４】
ステップ２００２でジョブスタートの開始を待つ。
【００５５】
コピースタートキー，プリンタジョブ投入，ＦＡＸ受信などによりジョブスタートするとステップ２００３へ進む。
【００５６】
ステップ２００３ではリーダ部２００の温度と予め定められたプリント禁止温度Ｔｍａｘを比較し、リーダ部２００の温度の方が大きければステップ２００４へ進み、そうでなればステップ２００９へ進む。
【００５７】
これはサーミスタ７を持たない構成であれば、前回のプリントジョブの枚数から推測しても良い。例えば前回のジョブのプリント枚数が５０００枚であれば５０℃、プリント枚数が６０００枚であれば５２℃といったテーブルを用意しても良いし、
Ｔｒ（℃）＝プリント枚数×０．００２＋３０
といった換算式を用いても良い。
【００５８】
ステップ２００４では図４にあるようにメッセージディスプレイ７０１に「しばらくお待ち下さい」等の表示を行う。
【００５９】
ステップ２００５ではリーダ部２００の温度低下を早めるためリーダ部２００の可動部を読み取り動作を行わずに連続的に動作させるクールダウン動作を開始する。ただし、これはシステムによってはあまり有効でない場合も考えられるので、行わなくとも構わない。
【００６０】
ステップ２００６では、リーダ部２００の温度低下を待ちＴｍａｘ以下になればステップ２００７に進む。これはサーミスタを持たない構成であれば、温度低下までの時間を推測し、求めた待ち時間を待つことで、Ｔｍａｘ以下になったという判断をしても良い。
【００６１】
待ち時間をＴｗａｉｔ、現在の推測温度をＴｎｏｗ、プリント禁止温度をＴｍａｘ、温度低下係数ｋとすれば以下で表せる。
【００６２】
Ｔｗａｉｔ（秒）＝  （Ｔｎｏｗ−Ｔｍａｘ）×ｋ
例えば、Ｔｎｏｗが５０℃、Ｔｍａｘが４０度、ｋが５０とすれば、Ｔｗａｉｔは５００（秒）となる。
【００６３】
これらＴｎｏｗ，Ｔｍａｘ，ｋはシステムにより異なるのでシステムごとに最適値を予め測定して求めておく。
【００６４】
ステップ２００７では操作部に「プリントしています」表示を行う。
【００６５】
ステップ２００８では、ステップ２００５で開始したクールダウン動作を停止する。ステップ２００５と同様にシステムによってはあまり有効でない場合も考えられるので、行わなくとも構わない。
【００６６】
ステップ２００９では画像形成動作を行う。
【００６７】
以上説明したように、本実施例によれば、プリンタ部の熱が原因でリーダ部が加熱される構成であって、リーダ部が高温になるとリーダ部の読み取り性能が劣化してしまうリーダ部を備えた画像形成装置において、効果的に温度を低下させることができるので、リーダ部の読み取り性能の劣化を防ぐことができる。また、ファンを追加する必要が無いので、コストアップさせることなく実現できる。
【００６８】
（実施例３）
次に図７のフローチャートを用いて実施例３の“画像形成装置”の動作を説明する。ハードウエア構成は前述のとおりである。
【００６９】
ステップ３００２でジョブスタートの開始を待つ。
【００７０】
コピースタートキー，プリンタジョブ投入，ＦＡＸ受信などによりジョブスタートするとステップ３００３へ進む。
【００７１】
ステップ３００３では予め用意したプリント禁止フラグを参照し、プリント禁止フラグがＯＮであればステップ３００４へ進み。そうでなければステップ３００９へ進む。プリント禁止フラグはリーダ部２００の温度が上昇していることを示すフラグであり、プリント枚数から予測してフラグのＯＮ／ＯＦＦを切り替える。
【００７２】
ステップ３００４では図４にあるようにメッセージディスプレイ７０１に「しばらくお待ち下さい」等の表示を行う。
【００７３】
ステップ２００５ではリーダ部２００の温度低下を早めるためリーダ部２００の可動部を読み取り動作を行わずに連続的に動作させるクールダウン動作を開始する。ただし、これはシステムによってはあまり有効でない場合も考えられるので、行わなくとも構わない。
【００７４】
ステップ３００６では予め決められたプリントウェイト時間Ｔｗ（秒）が経過するまで待つ。これはリーダ部２００の温度の低下を待つためであり、例えば３００（秒）待つ。
【００７５】
ステップ３００７ではプリント禁止フラグをＯＦＦにする。
【００７６】
ステップ３００８ではステップ３００５で開始したクールダウン動作を停止する。ステップ２００５と同様にシステムによってはあまり有効でない場合も考えられるので、行わなくとも構わない。
【００７７】
ステップ３００９では操作部に「コピーしています」表示を行う。
【００７８】
ステップ３０１０では画像形成動作を行う。
【００７９】
ステップ３０１１ではジョブ終了を待ち、ジョブが終了すればステップ３０１２へ進み、そうでなければステップ３０１０へ戻る。
【００８０】
ステップ３０１２では今回のジョブでプリントされた枚数を判断し、プリント枚数が５０００枚以上であればステップ３０１３へ進み、そうでなければステップ３０１４へ進む。この５０００枚という枚数は一例であり、リーダ部２００の温度上昇を予測する枚数であるのでシステムごとに最適な値を設定すれば良い。
【００８１】
ステップ３０１３ではプリント禁止フラグをＯＮに設定する。
【００８２】
ステップ３０１４は図７のフローチャートで行う処理の終了を示す。
【００８３】
以上説明したように、本実施例によれば、プリンタ部の熱が原因でリーダ部が加熱される構成であって、リーダ部が高温になるとリーダ部の読み取り性能が劣化してしまうリーダ部を備えた画像形成装置において、プリント枚数からリーダ部の温度上昇を推測し、プリント動作を制御することにより、リーダ部の読み取り性能の劣化を防ぐことができる。また、ファンを追加する必要が無いので、コストアップさせることなく実現できる。
【００８４】
【発明の効果】
以上説明したように、本発明よれば、プリンタ部の熱が原因でリーダ部が加熱される構成であって、リーダ部が高温になるとリーダ部の読み取り性能が劣化してしまうリーダ部を備えた画像形成装置において、効果的に温度を低下させることができ、リーダ部の読み取り性能の劣化を防ぐことができる。また、ファンを追加する必要が無いので、コストアップさせることなく実現できる。
【図面の簡単な説明】
【図１】実施例の構成を示す断面図
【図２】制御手段の構成を示すブロック図
【図３】操作パネルの外観図
【図４】メッセージディスプレイの表示例を示す図
【図５】実施例１の動作を示すフローチャート
【図６】実施例２の動作を示すフローチャート
【図７】実施例３の動作を示すフローチャート
【符号の説明】
２００    リーダ部
３００    プリンタ部
８００    複写制御手段
【図１】
2004279522.tif 000003
【図２】
2004279522.tif 000004
【図３】
2004279522.tif 000005
【図４】
2004279522.tif 000006
【図５】
2004279522.tif 000007
【図６】
2004279522.tif 000008
【図７】
2004279522.tif 000009